(57)【要約】【課題】組立性を向上させることができる時計を提供すること。【解決手段】時計１の文字板３において、秒ＣＧ針１４の回転軸１４Ａが突出する孔部３Ｆにガイド部材４０を設けた。このため、ガイド部材４０で回転軸１４Ａが囲まれているので、回転軸１４Ａに秒ＣＧ針１４を押し込む際には、回転軸１４Ａがガイド部材４０に接触してその撓みを規制できる。従って、組立作業時の回転軸１４Ａの撓みや、撓み過ぎによる破損を有効に防止でき、組立性を向上させることができる。【選択図】  図３
2004286700.tif 000002
【特許請求の範囲】
【請求項１】
文字板の孔部から外側に突出して指針が取り付けられる回転軸を備え、前記文字板の孔部には、前記回転軸の周囲を囲むガイド部材が取り付けられていることを特徴とする時計。
【請求項２】
請求項１に記載の時計において、異なる軸心の少なくとも一対の前記回転軸を備えた多機能時計であるとともに、一方の回転軸に取り付けられた指針と、他方の回転軸に取り付けられた指針とは、互いの運針軌跡が平面的に重なるように配置され、各回転軸のうち前記文字板からより突出している方の回転軸の周囲が前記ガイド部材で囲まれていることを特徴とする時計。
【請求項３】
請求項１または請求項２に記載の時計において、前記ガイド部材で囲まれた回転軸は、前記文字板の孔部から一本突出していることを特徴とする時計。
【請求項４】
請求項１ないし請求項３のいずれかに記載の時計において、前記ガイド部材で囲まれた回転軸には、この回転軸に挿入されるパイプ部材を介して前記指針が取り付けられ、当該パイプ部材の一部が前記ガイド部材で囲まれていることを特徴とする時計。
【請求項５】
請求項１ないし請求項４のいずれかに記載の時計において、前記ガイド部材の内周面とこのガイド部材で囲まれた回転軸および／またはパイプ部材の外周面とのクリアランスは、当該回転軸を含んで構成されたムーブメントの外周面とこれに対向するケースの内周面との間のクリアランスよりも大きいことを特徴とする時計。
【請求項６】
請求項１ないし請求項４のいずれかに記載の時計において、前記回転軸を含んで構成されたムーブメントと、このムーブメントおよびケースの間に配置された中枠とを備え、前記ガイド部材の内周面とこのガイド部材で囲まれた回転軸および／またはパイプ部材の外周面とのクリアランスは、前記ムーブメントの外周面とこれに対向する前記中枠の内周面とのクリアランス、および前記中枠の外周面とこれに対向する前記ケースの内周面とのクリアランスの和よりも大きいことを特徴とする時計。
【発明の詳細な説明】
【０００１】
【発明の属する技術分野】
本発明は、時計に係り、例えば通常時刻を表示する表示部の他に、クロノグラフ時間、温度等の通常時刻以外の情報を表示する表示部を備えた多機能アナログ時計に関する。
【０００２】
【背景技術】
近年においては、デジタル式電子時計だけでなく、アナログ電子時計（指針式電子時計）に対しても、クロノグラフ、アラーム、タイマー等の時間情報や、温度、圧力、湿度等の情報を表示する多機能表示の要求が強く、色々な多機能アナログ時計が商品化されている。
これらの多機能アナログ時計においては、通常の時刻を表す時針、分針、秒針等の通常時刻表示用の指針（基本時計用指針）の他に、クロノグラフ用やアラーム用等の付加機能表示用の指針が設けられる。
このため、時計の時刻表示部内には、上記各指針を互いの針が干渉しないように配置する必要があった。
【０００３】
このため、例えばクロノグラフ機能を有する多機能時計では、通常は、時刻表示部の中心（例えば、時刻表示部が平面円形の一般的な多機能時計では前記円の中心位置であり、平面矩形状の時刻表示部では各対角線の交点の位置であり、通常は文字板の重心位置に一致する）に、通常時刻を表示する時針、分針の各回転軸を配置し、さらにクロノグラフ機能の秒クロノグラフ針（秒ＣＧ針）の回転軸が同軸で配置されている。
また、時刻表示部の中心以外に回転軸が配置された針（副針）として、通常時刻の秒を表示する小秒針、クロノグラフの分クロノグラフ針（分ＣＧ針）、時クロノグラフ針（時ＣＧ針）が配置されている（例えば、特許文献１参照）。
そして、中心の時針、分針、および秒ＣＧ針は、周囲の分ＣＧ針および時ＣＧ針との干渉を避けるために、文字板の孔部からより大きく突出した回転軸に取り付けられており、これら時針、分針、および秒ＣＧ針の運針軌跡と文字板との間の空間で分ＣＧ針および時ＣＧ針が運針する。
【０００４】
【特許文献１】
特開昭６１−８３９９１号公報（図１）
【０００５】
【発明が解決しようとする課題】
しかしながら、指針が取り付けられる回転軸が文字板から大きく突出していると、その突出量によっては、指針を押し込んで取り付ける際に回転軸が撓んだり、回転軸の先端を破損する可能性があり、組立作業を容易にできないという問題がある。
なお、このような問題は、クロノグラフ機能を有する多機能時計に限らず、通常のアナログ時計においても、何らかの理由で回転軸が大きく突出している場合には、同様な問題が生じる可能性がある。
【０００６】
本発明の目的は、組立性を向上させることができる時計を提供することにある。
【０００７】
【課題を解決するための手段】
本発明の時計は、文字板の孔部から外側に突出して指針が取り付けられる回転軸を備え、前記文字板の孔部には、前記回転軸の周囲を囲むガイド部材が取り付けられていることを特徴とする。
このような本発明によれば、文字板の孔部にガイド部材を設け、このガイド部材で回転軸を囲むので、この回転軸に指針を押し込む際に当該回転軸が撓もうとしても、ガイド部材に接触してその撓みが規制されるうえ、破損に至る心配もなく、組立性が向上する。
【０００８】
本発明の時計では、異なる軸心の少なくとも一対の前記回転軸を備えた多機能時計であるとともに、一方の回転軸に取り付けられた指針と、他方の回転軸に取り付けられた指針とは、互いの運針軌跡が平面的に重なるように配置され、各回転軸のうち前記文字板からより突出している方の回転軸の周囲が前記ガイド部材で囲まれていることが望ましい。
このような本発明の時計は、例えば前述したような多機能時計であるが、このような時計では、最も外側（文字板から最も離れた側）で運針する指針の回転軸が特に大きく突出するため、このような時計にガイド部材を設けることで、より顕著な効果が得られる。
【０００９】
本発明の時計では、前記ガイド部材で囲まれた回転軸は、前記文字板の孔部から一本突出していることを特徴とする。
文字板から突出する回転軸が一本の場合には、撓み易いうえに、より破損し易いのであるが、ガイド部材を設けることでこのような時計でも、指針の組立が何ら支障なく行えるようになり、より効果的である。換言すれば、回転軸を一本だけ大きく突出させることが可能であり、例えば文字板の中心または略中心に一つの指針のみを配置した斬新なデザインの時計を提供できる。
【００１０】
本発明の時計では、前記ガイド部材で囲まれた回転軸には、この回転軸に挿入されるパイプ部材を介して前記指針が取り付けられ、当該パイプ部材の一部が前記ガイド部材で囲まれていることが望ましい。
回転軸にパイプ部材を介して指針が取り付けられている場合、回転軸が大きく突出していると、パイプ部材が露呈するため、時計の外観が損なわれる。これに対して本発明では、ガイド部材でパイプ部材をも囲むため、そのようなパイプ部材が大きく露呈せず、外観が良好になる。
【００１１】
本発明の時計では、前記ガイド部材の内周面とこのガイド部材で囲まれた回転軸および／またはパイプ部材の外周面とのクリアランスは、当該回転軸を含んで構成されたムーブメントの外周面とこれに対向するケースの内周面との間のクリアランスよりも大きいことが望ましい。
一方、前記回転軸を含んで構成されたムーブメントと、このムーブメントおよびケースの間に配置された中枠とを備えている時計の場合には、前記ガイド部材の内周面とこのガイド部材で囲まれた回転軸および／またはパイプ部材の外周面とのクリアランスは、前記ムーブメントの外周面とこれに対向する前記中枠の内周面とのクリアランス、および前記中枠の外周面とこれに対向する前記ケースの内周面とのクリアランスの和よりも大きいことが望ましい。
これらの構成では、時計に加わる衝撃等により、文字板に対してムーブメントや中枠が位置ずれした場合でも、回転軸がガイド部材の内周面にぶつかる以前にムーブメント、ケース、あるいは中枠が互いに当接するようになり、回転軸の変形や破損が防止される。
【００１２】
【発明の実施の形態】
以下、本発明の一実施形態を図面に基づいて説明する。
図１には、本発明の時計の実施形態であるクロノグラフ付時計１の表外観が、図２には、時計１の断面図がそれぞれ示されている。
このクロノグラフ付時計１は、透光性のガラス２を通して視認可能な文字板３部分からなる時刻表示部４を備えている。すなわち、時刻表示部４は、文字板３の周囲に配置される見切リング５１（図２）の見切面の内側に区画形成されている。
【００１３】
図１に示すように、クロノグラフ付時計１は、時刻表示部４に配置された通常時刻表示用の時針（指針）１１、分針（指針）１２、秒針（指針）１３と、通常時刻以外の他の情報であるクロノグラフ時間を示す秒クロノグラフ針（秒ＣＧ針：指針）１４、分クロノグラフ針（分ＣＧ針：指針）１５とを備えている。
また、時計１の３時方向の側面には通常時刻を修正するための竜頭１７が配置され、２時方向には、秒ＣＧ針１４、分ＣＧ針１５のスタート、ストップ操作をするためのスタート・ストップボタン１８が配置され、４時方向には秒ＣＧ針１４、分ＣＧ針１５を帰零するためのリセットボタン１９が配置されている。
【００１４】
ここで、時針１１、分針１２が取り付けられる回転軸１１Ａ，１２Ａは同軸心とされ、時刻表示部４の中心に対してその回転軸１１Ａ，１２Ａが６時方向（図１中下方）に離れた位置に設けられている。秒針１３は、その回転軸１３Ａが前記中心に対して略１０時方向に離れた位置に配置されている。
一方、秒クロノグラフ時間を示す秒ＣＧ針１４が取り付けられた回転軸１４Ａは、秒クロノグラフ車１４０に一体に設けられているとともに、前記中心位置に配置されている。
また、分クロノグラフ時間を表示する分ＣＧ針１５は、前記中心に対してその回転軸１５Ａが略２時方向に離れた位置に配置されている。
【００１５】
文字板３には、通常時刻を示す時分用の目盛３Ａと、秒用の目盛３Ｂと、秒クロノグラフ時間を示す目盛３Ｃと、分クロノグラフ時間を示す目盛３Ｄとが形成されている。各目盛３Ａ〜３Ｄは、各指針１１〜１５の針先の軌跡に対応して設けられている。
各針１１〜１４は、通常の時計と同様に時計回りに回転する。ここで、時針１１、分針１２、秒針１３、分ＣＧ針１５の各回転軸１１Ａ，１２Ａ，１３Ａ，１５Ａは、秒ＣＧ針１４の運針軌跡内に配置され、秒ＣＧ針１４の運針軌跡と各針１１〜１３，１５の各運針軌跡とが平面的に重なっている。このため、文字板３からは回転軸１４Ａが最も突出しており、これにより秒ＣＧ針１４の高さ位置（レベル）は、各針１１〜１３，１５の高さ位置よりも高く（ガラス２側に）配置されており、秒ＣＧ針１４が各針１１〜１３，１５に干渉しないように設定されている。なお、各針１１〜１３，１５と、秒ＣＧ針１４との高さ位置が異なることから、各目盛３Ａ〜３Ｄが形成される文字板３も、各針１１〜１５の高さ位置に合わせて設けてもよい。また、文字板３の４時から５時方向の略中間部分（略４時半方向）に、日車を露出させて日付を表示するための窓を文字板３を貫通させて形成してもよい。
【００１６】
このようなクロノグラフ付時計１は、図２、図４に示すように、ケース２０と、このケース２０の上部開口にパッキンを介して取り付けられた見切リング５１および前記補助リング５２で構成されたガラス保持リング５と、このガラス保持リング５で保持されるガラス２と、ケース２０の下部開口にパッキンを介して取り付けられる裏蓋３０とを備えている。なお、本実施形態において、時計１の断面方向の上下位置関係は、特に説明がない場合、ガラス２側を上側、裏蓋３０側を下側という。また、ガラス保持リング５上には、図１に示すように、回転ベゼル１６が設けられているが、図２ではその図示を省略してある。
これらのケース２０、ガラス２、裏蓋３０で囲まれた内部空間に、各針１１〜１５を駆動するムーブメント１００が配置されている。そして、各回転軸１１Ａ，１２Ａ，１３Ａ，１５Ａは、このムーブメント１００の一構成部材である。
【００１７】
ムーブメント１００は、詳細な図示を省略するが、大きく分けて二層構造とされている。一層目には、通常時刻を表示するための基本時計輪列と、クロノグラフを表示するためのＣＧ（クロノグラフ）輪列と、通常時刻を修正するための時刻修正機構が配置されている。二層目には、発電用のコイルブロック、ステーター、発電用輪列、発電エネルギーを充電するための二次電源、クロノグラフの帰零機構が配置されている。そして、一層目と二層目の間には、通常時刻表示やクロノグラフ表示の電気的な制御、発電機の制御を行う回路基板が配置されている。なお、本実施形態において、一層目とは時計１の上方側つまりガラス２に近い側を意味し、二層目とは時計１の下方側つまり裏蓋３０に近い側を意味する。また、前記発電機は、回転錘の回動に伴い回転錘車を回転させ、この回転によって発電用ローターを回転させる構成である。
【００１８】
図３において、秒ＣＧ針１４は、丸孔１４１に嵌め込まれたパイプ部材１４２を備えており、このパイプ部材１４２が回転軸１４Ａの先端に押し込まれている。この回転軸１４Ａは、文字板３に設けられた孔部３Ｆから外側（図１に示すガラス２側）に大きく突出しており、秒ＣＧ針１４と他の各針１１〜１３，１５との干渉を避けている（これについては先述した）。ここで、文字板３の孔部３Ｆには、回転軸１４Ａを囲む段付円筒状のガイド部材４０が嵌め込まれており、回転軸１４Ａへの秒ＣＧ針１４（パイプ部材１４２）の押し込み時の撓みが規制されている。
【００１９】
ガイド部材４０には、文字板３の孔部３Ｆに挿入固着される挿入部４１が設けられ、挿入部４１の上方には文字板３の表面に当接される当接面４２が形成されている。当接面４２よりも上方は、肉厚の厚い厚肉部４３と、肉厚の薄い薄肉部４４とで構成された囲み部４５になっており、厚肉部４３および薄肉部４４がテーパ面で連続している。また、ガイド部材４０の貫通孔４６も段付とされ、薄肉部４４の部分では、厚肉部４３部分よりも貫通孔４６の径が大きい。そして、この径が大きい部分が収容部４７なっており、この収容部４７に内部にパイプ部材１４２の下部側が収容され、パイプ部材１４２が外部から見え難くなっている。
【００２０】
一方、図３に示すように、回転軸１１Ａ，１２Ａが突出した文字板３の孔部３Ｇには、これらの回転軸１１Ａ，１２Ａを囲むようなガイド部材は設けられていない。これは、筒車６および分車７に一体に設けられた回転軸１１Ａ，１２Ａは、その突出量が小さいことで撓み難いのと、回転軸１４Ａと比較して大きな径寸法を有し、このことでも撓み難いからである。さらに、図示を省略するが、回転軸１３Ａ，１５Ａには秒針１３および分ＣＧ針１５が直接取り付けられるが、これらの回転軸１３Ａ，１５Ａも突出量が小さいため、各針１３，１５の押し込みに対して撓み難く、やはり回転軸１３Ａ，１５Ａを囲むようなガイド部材は設けられていない。
【００２１】
さらに、本実施形態での文字板３は、ムーブメント１００側に突出した位置決め足（図示略）を備え、この位置決め足をムーブメント１００に圧入することで固定されている。また、場合によって文字板３は、位置決め足を用いることなく、接着等によりムーブメント１００に固着される場合もある。この文字板３の外周側は、ガラス保持リング５に殆ど当接された状態になっている。
【００２２】
そして、図３、図４に示すように、孔部３Ｆに設けられたガイド部材４０部分において、その貫通孔４６の内周面と回転軸１４Ａの外周面との間のクリアランスをＣ１、孔部３Ｇ部分において、その孔部３Ｇの内周面と回転軸１１Ａ（筒車６）の外周面との間のクリアランスをＣ２、ムーブメント１００の外周面とこれに対向するケース２０の内周面との間のクリアランスをＣ３とすれば、Ｃ１，Ｃ２＞Ｃ３に設定されている。このことにより、時計１に加わる衝撃等により、文字板３に対してムーブメント１００が径方向に位置ずれした場合でも、回転軸１１Ａ，１４Ａが孔部３Ｇや貫通孔４６の内周面に当たる以前に、ムーブメント１００がケース２０に当接するようになり、各回転軸１１Ａ，１２Ａ，１４Ａの変形や破損が防止されるようになっている。回転軸１３Ａ，１５Ａにおいても同様である。なお、本実施形態では、回転軸１４Ａへ挿入されたパイプ部材１４２の挿入部分の外周面と、ガイド部材４０に設けられた収容部４７の内周面との間のクリアランスもＣ１に等しい。
【００２３】
このような本実施形態によれば、以下のような効果がある。
（１）時計１の文字板３において、秒ＣＧ針１４の回転軸１４Ａが突出する孔部３Ｆにはガイド部材４０が設けられ、このガイド部材４０で回転軸１４Ａが囲まれているので、回転軸１４Ａに秒ＣＧ針１４を押し込む際には、回転軸１４Ａがガイド部材４０に接触してその撓みを規制できる。従って、組立作業時の回転軸１４Ａの撓みや、撓み過ぎによる破損を有効に防止でき、組立性を向上させることができる。
【００２４】
（２）時計１は、クロノグラフを備えた多機能時計であるが、このような時計１では、最も外側で運針する秒ＣＧ針１４の回転軸１４Ａが特に大きく突出するため、このような回転軸１４Ａを囲むガイド部材４０を設けることで、より顕著な効果を得ることができ、多機能時計の組立を容易にできる。
【００２５】
（３）秒ＣＧ針１４用の回転軸１４Ａはガイド部材４０にガイドされて撓み難いので、筒かなや筒車などと組み合わせて用いる必要がない。このため、回転軸１４Ａを一本だけ大きく突出させることができ、文字板３の略中心に一つの秒ＣＧ針１４のみを配置した斬新なデザインの時計１を提供できる。
【００２６】
（４）また、ガイド部材４０で秒ＣＧ針１４のパイプ部材１４２が囲まれるから、パイプ部材１４２が大きく露呈せず、外観を良好にできる。
【００２７】
（５）各クリアランスＣ１，Ｃ２，Ｃ３の関係がＣ１，Ｃ２＞Ｃ３に設定されているため、時計１に加わる衝撃等により、文字板３に対してムーブメント１００が径方向に位置ずれした場合でも、筒車６が孔部３Ｇの内周面に当たったり、回転軸１４Ａがガイド部材４０の貫通孔４６の内周面に当たる以前に、ムーブメント１００をケース２０の内周面に当接させることができ、各回転軸１１Ａ，１２Ａ，１４Ａの変形や破損を防止できる。回転軸１３Ａ，１５Ａにおいても同様である。
【００２８】
なお、本発明は、前記実施形態に限定されるものではなく、本発明の目的を達成できる他の構成等を含み、以下に示すような変形等も本発明に含まれる。
例えば、図５に示すように、ムーブメント１００とケース２０との間に環状の中枠２００が配置されている時計１においては、ムーブメント１００の外周面とこれに対向する中枠２００の内周面とのクリアランスをＣ４、中枠２００の外周面とこれに対向するケース２０の内周面とのクリアランスをＣ５とすると、図３に示すクリアランスＣ１，Ｃ２は、クリアランスＣ４およびクリアランスＣ５の和よりも大きく設定されている（Ｃ１，Ｃ２＞Ｃ４＋Ｃ５）。このことにより、中枠２００を備えた時計１の場合でも、時計１に衝撃が加わった時には、はじめにケース２０、ムーブメント１００、および中枠２００同士が互いに当接するため、前述した（５）の効果を同様に得ることができる。
【００２９】
前記実施形態では、秒ＣＧ針１４がパイプ部材１４２を介して取り付けられており、回転軸１４Ａへ挿入されたパイプ部材１４２の挿入部分の外周面と、ガイド部材４０に設けられた収容部４７の内周面との間のクリアランス、および貫通孔４６の内周面と回転軸１４Ａの外周面との間のクリアランスは、共にＣ１とされて等しいが、これらが異なったクリアランスを有していてもよい。そして、異なったクリアランスを有する場合には、前者のクリアランスが後者のクリアランスよりも小さいことが望ましく、そうすることにより、前述した（５）の効果を確実に得ることができる。
また、前記実施形態では、収容部４７の径寸法がより大きくなっており、貫通孔４６内に段差が形成されていたが、収容部４７の径寸法を貫通孔４６と同径に設けることで、貫通孔４６全体をストレートに設けてもよい。つまり、ガイド部材の形状は、その実施にあたって任意に決められてよい。
一方、パイプ部材１４２が設けられず、秒ＣＧ針１４が直に回転軸１４Ａに取り付けられている場合でも本発明に含まれる。
【００３０】
前記実施形態では、ガイド部材４０が文字板３の孔部３Ｆにだけ設けられていたが、一本の回転軸１３Ａ，１５Ａが突出した孔部にもガイド部材を設け、これら回転軸１３Ａ，１５Ａの撓みや破損等を防止してもよい。
【００３１】
前記実施形態では、各クリアランスＣ１，Ｃ２，Ｃ３の関係がＣ１，Ｃ２＞Ｃ３に設定されていたが、このような設定は本発明に必須の構成ではなく、このような設定を備えていない場合でも本発明に含まれる。
【００３２】
前記実施形態の時計１はクロノグラフ時計であったが、本発明の時計としては、通常時計の秒針のみが略中央の回転軸に取り付けられるタイプのアナログ時計であってもよく、クロノグラフ時計である必要はない。
また、多機能時計としては、クロノグラフの他、アラーム、タイマー等の時間情報や、温度、圧力、湿度等の情報を表示する機能を有した時計であってもよい。
【００３３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【図１】本発明の一実施形態に係る時計の表外観を示す平面図。
【図２】図１のＩＩ−ＩＩ線断面図であり、前記実施形態の断面図。
【図３】前記実施形態の要部を拡大して示す断面図。
【図４】前記実施形態の他の要部を拡大して示す断面図。
【図５】本発明の変形例を示す断面図。
【符号の説明】
１…時計、３…文字板、３Ｆ，３Ｇ…孔部、１１…時針（指針）、１２…分針（指針）、１３…秒針（指針）、１４…秒ＣＧ針（指針）、１４Ａ…回転軸、１５…分ＣＧ針（指針）、４０…ガイド部材、１４０…秒クロノグラフ車、Ｃ１，Ｃ２，Ｃ３，Ｃ４，Ｃ５…クリアランス。
【図１】
2004286700.tif 000003
【図２】
2004286700.tif 000004
【図３】
2004286700.tif 000005
【図４】
2004286700.tif 000006
【図５】
2004286700.tif 000007